(57)【要約】【課題】蓋の破損を防止できる開閉構造、開閉構造を備える部品、および、当該部品を備える洗濯機を提供すること。【解決手段】開閉構造１は、開口部６が形成された支持体３と、支持体３によって回動自在に支持されて開口部６を開閉可能な蓋４とを含む。蓋４における回動中心およびその周辺を構成する弾性変形部１４は、可撓性を有する。支持体３および弾性変形部１４のうち、一方には、蓋４の回動中心をなす軸１５が設けられ、他方には、軸１５が挿入される穴１０が設けられる。支持体３および弾性変形部１４のうち、一方には、ピン１６が設けられ、他方には、蓋４が開閉する間はピン１６を遊びを持って受け入れる凹部１１が設けられる。凹部１１は、蓋４が開位置から閉位置側とは反対側へ向かうのに従って、ピン１６を押し出すように徐々に浅くなる。【選択図】図２
2015139599.tif 000002
【特許請求の範囲】
【請求項１】
開口部が形成された支持体と、
前記支持体によって回動自在に支持され、前記開口部を開放する開位置と前記開口部を塞ぐ閉位置との間で開閉可能な蓋と、
前記蓋における回動中心およびその周辺を構成し、可撓性を有する弾性変形部と、
前記支持体および前記弾性変形部の一方に設けられ、前記蓋の回動中心をなす軸と、
前記支持体および前記弾性変形部において前記軸が設けられない他方に設けられ、前記軸が挿入される穴と、
前記支持体および前記弾性変形部の一方に設けられるピンと、
前記支持体および前記弾性変形部において前記ピンが設けられない他方に設けられ、前記蓋が開閉する間は前記ピンを遊びを持って受け入れる凹部と、
を含み、
前記凹部は、前記蓋が前記開位置から前記閉位置側とは反対側へ向かうのに従って、前記ピンを押し出すように徐々に浅くなることを特徴とする開閉構造。
【請求項２】
前記蓋に形成され、前記弾性変形部を撓ませるためのスリットを含むことを特徴とする請求項１記載の開閉構造。
【請求項３】
請求項１または２記載の開閉構造を備えることを特徴とする部品。
【請求項４】
請求項３に記載の部品を備え、
前記開口部が洗剤、柔軟剤および漂白剤の少なくともいずれかを投入するための投入口であることを特徴とする洗濯機。
【発明の詳細な説明】
【技術分野】
【０００１】
この発明は、開閉構造、開閉構造を備える部品、および当該部品を備える洗濯機に関する。
【背景技術】
【０００２】
下記特許文献１で開示された洗濯機は、洗濯脱水槽の内周面に取り付けられた洗剤投入用ダクトを含む。洗剤投入用ダクトは、上部に洗剤投入口を有し、洗剤投入口は、カバーによって開閉される。カバーは、洗濯脱水槽の内方に倒れ込むように回動することで洗剤投入口を開放する。
【先行技術文献】
【特許文献】
【０００３】
【特許文献１】特開２００７−４４２２９号公報
【発明の概要】
【発明が解決しようとする課題】
【０００４】
特許文献１では、開ききった状態のカバーに対して、さらに開くような力が加わると、カバーの回動軸が折れることでカバーが破損し、カバーの交換が必要になる虞がある。
【０００５】
この発明は、かかる背景のもとでなされたもので、蓋の破損を防止できる開閉構造、開閉構造を備える部品、および当該部品を備える洗濯機を提供することを目的とする。
【課題を解決するための手段】
【０００６】
本発明は、開口部が形成された支持体と、前記支持体によって回動自在に支持され、前記開口部を開放する開位置と前記開口部を塞ぐ閉位置との間で開閉可能な蓋と、前記蓋における回動中心およびその周辺を構成し、可撓性を有する弾性変形部と、前記支持体および前記弾性変形部の一方に設けられ、前記蓋の回動中心をなす軸と、前記支持体および前記弾性変形部において前記軸が設けられない他方に設けられ、前記軸が挿入される穴と、前記支持体および前記弾性変形部の一方に設けられるピンと、前記支持体および前記弾性変形部において前記ピンが設けられない他方に設けられ、前記蓋が開閉する間は前記ピンを遊びを持って受け入れる凹部と、を含み、前記凹部は、前記蓋が前記開位置から前記閉位置側とは反対側へ向かうのに従って、前記ピンを押し出すように徐々に浅くなることを特徴とする開閉構造である。
【０００７】
また、本発明の開閉構造は、前記蓋に形成され、前記弾性変形部を撓ませるためのスリットを含むことを特徴とする。
【０００８】
また、本発明は、開閉構造を備えることを特徴とする部品である。
【０００９】
また、本発明は、前記部品を備え、前記開口部が洗剤、柔軟剤および漂白剤の少なくともいずれかを投入するための投入口であることを特徴とする洗濯機である。
【発明の効果】
【００１０】
本発明によれば、支持体によって回動自在に支持された蓋の回動中心およびその周辺を構成する弾性変形部は、可撓性を有する。支持体および弾性変形部の一方に設けられた軸が、支持体および弾性変形部において軸が設けられない他方に設けられた穴に挿入される。蓋は、穴に挿入された状態の軸を中心に回動することによって、支持体の開口部を開放する開位置と開口部を塞ぐ閉位置との間で開閉可能である。
支持体および弾性変形部のいずれか一方に設けられるピンが、支持体および弾性変形部においてピンが設けられない他方に設けられた凹部に受け入れられる。凹部は、蓋が開閉する間はピンを遊びを持って受け入れる。そのため、蓋が開閉する間、ピンが凹部の壁面に干渉しないので、蓋の円滑な開閉が阻害されることはない。
開位置まで開ききった蓋を開位置から閉位置側とは反対側へ向かうように回動させると、当該反対側へ向かうのに従って徐々に浅くなった凹部の底面によってピンが凹部の外に押し出される。これにより、可撓性を有する弾性変形部が撓んで支持体から離れるので、軸が穴から自然に抜ける。そのため、開ききった蓋がさらに開こうとしても、軸が折れないので、蓋の破損を防止できる。
【００１１】
また、本発明によれば、開ききった蓋がさらに開こうとした場合、蓋に形成されたスリットによって弾性変形部を一層撓ませて、軸を穴から確実に抜くことができるので、蓋の破損を確実に防止できる。
【００１２】
また、本発明によれば、以上の開閉構造を備える部品では、蓋の破損を防止できる。
【００１３】
また、本発明によれば、以上の部品を備える洗濯機では、蓋の破損を防止できる。
【図面の簡単な説明】
【００１４】
【図１】図１は、この発明の一実施形態に係る開閉構造１を備える部品２の斜視図である。
【図２】図２は、部品２の分解斜視図である。
【図３】図３は、蓋４が閉位置にあるときの部品２の平断面図である。
【図４】図４は、蓋４が開位置にあるときの部品２の平断面図である。
【図５】図５（ａ）は、蓋４が閉位置にあるときの部品２において凹部１１の全体が見える位置での模式的な断面図であり、図５（ｂ）は、蓋４が開位置にあるときの部品２において凹部１１の全体が見える位置での模式的な断面図であり、図５（ｃ）は、蓋４が閉位置にあるときの部品２において穴１０および凹部１１の両方が見える位置での模式的な断面図であり、図５（ｄ）は、蓋４を開位置からさらに開いたときの部品２において穴１０および凹部１１の両方が見える位置での模式的な断面図である。
【図６】図６は、図５に第１変形例を適用した図である。
【図７】図７は、図５に第２変形例を適用した図である。
【図８】図８は、図５に第３変形例を適用した図である。
【図９】図９は、第４変形例に係る蓋４の斜視図である。
【図１０】図１０は、部品２を備える装置の一例である洗濯機５０において内部構造の一部を断面で示した模式図である。
【発明を実施するための形態】
【００１５】
以下には、図面を参照して、この発明の実施形態について具体的に説明する。
図１は、この発明の一実施形態に係る開閉構造１を備える部品２の斜視図である。
【００１６】
図１は、別の装置に組み付けられた状態における部品２の実際の姿勢を示す。以下では、図１における上下方向Ｘおよび左右方向Ｙを基準として説明する。上下方向Ｘのうち、上方を上方Ｘ１と称し、下方を下方Ｘ２と称する。左右方向Ｙのうち、左方を左方Ｙ１と称し、右方を右方Ｙ２と称する。
開閉構造１を備える部品２は、樹脂製であり、上下方向Ｘに長手である。開閉構造１は、支持体３と、蓋４とを含む。
【００１７】
支持体３は、上下方向Ｘに長手の板状である。支持体３において、図１で最も大きく見える面は、支持体３の表面３Ａであり、表面３Ａとは反対側の面は、支持体３の裏面３Ｂである。表面３Ａおよび裏面３Ｂのそれぞれは、平坦面であってもよいし、一部に湾曲面を含んでもよい。表面３Ａから裏面３Ｂに向かう方向を、奥側Ｚ１と称し、裏面３Ｂから表面３Ａに向かう方向を、手前側Ｚ２と称する。奥側Ｚ１および手前側Ｚ２を奥行方向Ｚと総称する。支持体３の上端部および左右の両端部は、奥側Ｚ１へ折り曲げられたフランジ部５である。
【００１８】
支持体３の表面３Ａの上端部には、開口部６が形成される。開口部６は、略矩形状に形成され、表面３Ａの上側約３分の１の領域を占める。開口部６の上端縁の左右方向Ｙにおける中央部６Ａは、上方Ｘ１へ凸状に突出する。支持体３は、開口部６において下端縁以外の縁から奥側Ｚ１へ延びる側壁７を有する。側壁７は、開口部６の上端縁を縁取って左右方向Ｙに延びる上側壁７Ａと、開口部６の左端縁を縁取って上下方向Ｘに延びる左側壁７Ｂと、開口部６の右端縁を縁取って上下方向Ｘに延びる右側壁７Ｃとを含む。左側壁７Ｂと右側壁７Ｃとは、左右方向Ｙに間隔を隔てて対向配置され、上側壁７Ａは、左側壁７Ｂおよび右側壁７Ｃの上端縁間に架設される。
【００１９】
支持体３は、上下方向Ｘおよび左右方向Ｙに広がる底壁８を含む。底壁８は、左側壁７Ｂおよび右側壁７Ｃの奥側Ｚ１の端部同士における上側約３分の２の領域間に架設され、上側壁７Ａの奥側Ｚ１の端部にも接続される。側壁７および底壁８によって、支持体３には、開口部６から奥側Ｚ１に窪む凹部９が形成される。凹部９の底は、上側約３分の２の領域では底壁８によって塞がれるが、下側約３分の１の領域では開放される。
【００２０】
図２は、部品２の分解斜視図である。
図２を参照して、左側壁７Ｂおよび右側壁７Ｃのそれぞれの対向面の下端部には、穴１０と凹部１１とが１つずつ設けられる。左側壁７Ｂおよび右側壁７Ｃのそれぞれの穴１０は、上下方向Ｘおよび奥行方向Ｚのそれぞれにおいて同じ位置にある。左側壁７Ｂおよび右側壁７Ｃのそれぞれの凹部１１は、上下方向Ｘおよび奥行方向Ｚのそれぞれにおいて同じ位置にある。左側壁７Ｂおよび右側壁７Ｃのそれぞれにおいて、穴１０は、円形状に形成され、凹部１１は、一例として、穴１０の円中心を曲率中心として上方Ｘ１に向けて凸となる円弧状に形成される。穴１０は、一例として底面１０Ａを有する凹部であるが、側壁７を貫通する貫通孔であってもよい。凹部１１は、貫通孔でなく、底面１１Ａを有する凹部である。
【００２１】
蓋４は、手前側Ｚ２から見たときに開口部６を塞ぐ略矩形状に形成される。図２の姿勢を基準として、蓋４は、下端縁以外の縁から奥側Ｚ１へ延びる側壁１２を有する。側壁１２は、蓋４の上端縁を縁取って左右方向Ｙに延びる上側壁１２Ａと、蓋４の左端縁を縁取って上下方向Ｘに延びる左側壁１２Ｂと、蓋４の右端縁を縁取って上下方向Ｘに延びる右側壁１２Ｃとを含む。左側壁１２Ｂと右側壁１２Ｃとは、左右方向Ｙに間隔を隔てて対向配置され、上側壁１２Ａは、左側壁１２Ｂおよび右側壁１２Ｃの上端縁間に架設される。上側壁１２Ａの上面の左右方向Ｙにおける中央には、下方Ｘ２へ向かう円弧状の窪み１３が形成される。左側壁１２Ｂおよび右側壁１２Ｃのそれぞれでは、少なくとも下端部は、薄板状に形成され、左右方向Ｙへの可撓性を有する弾性変形部１４をなす。
【００２２】
左側壁１２Ｂの弾性変形部１４の左側面および右側壁１２Ｃの弾性変形部１４の右側面には、軸１５とピン１６とが１つずつ設けられる。左側壁１２Ｂおよび右側壁１２Ｃのそれぞれにおいて、ピン１６は、軸１５よりも小径の円柱状であり、軸１５に対して、上方Ｘ１から隣接配置される。隣り合う軸１５とピン１６との間隔は、隣り合う穴１０と凹部１１との間隔とほぼ同じである。左側壁１２Ｂの軸１５およびピン１６は、左側壁１２Ｂの弾性変形部１４の左側面から左側へ突出し、右側壁１２Ｃの軸１５およびピン１６は、右側壁１２Ｃの弾性変形部１４の右側面から右側へ突出する。
【００２３】
左側壁１２Ｂの軸１５は、支持体３の左側壁７Ｂの穴１０に対して右方Ｙ２から挿入され、右側壁１２Ｃの軸１５は、支持体３の右側壁７Ｃの穴１０に対して左方Ｙ１から挿入される。左側壁１２Ｂのピン１６は、左側壁７Ｂの凹部１１に対して右方Ｙ２から挿入され、右側壁１２Ｃのピン１６は、右側壁７Ｃの凹部１１に対して左方Ｙ１から挿入される。これにより、蓋４は、左右の軸１５を回動中心として、支持体３によって回動自在に支持される。蓋４の左側壁１２Ｂおよび右側壁１２Ｃのそれぞれにおいて軸１５が設けられる弾性変形部１４は、蓋４における回動中心およびその周辺を構成する。また、左側壁７Ｂおよび右側壁７Ｃのそれぞれの凹部１１は、蓋４の回動軌跡に沿って延びる円弧状に形成される。ただし、各凹部１１は、その内側に、蓋４の回動軌跡に沿って移動するピン１６の移動軌跡を含む凹部であれば、凹部１１の深さ方向から見たときの凹部１１の形状は、円弧状でなくてもよく、たとえば正方形状に形成されていてもよい。
【００２４】
蓋４は、回動することによって、図２において破線で示すように支持体３の開口部６を塞ぐ閉位置と、閉位置よりも手前側Ｚ２へ傾いて開口部６を手前側Ｚ２に開放する開位置（図１参照）との間で開閉可能である。閉位置にある蓋４を開く場合、使用者は、支持体３の開口部６の上端縁における中央部６Ａの下に指を差し込み、この指を、蓋４の上側壁１２Ａの窪み１３に掛けて、蓋４を手前側Ｚ２へ引く。開位置の蓋４を奥側Ｚ１に回動させると、蓋４は、閉位置に戻る。つまり、奥側Ｚ１と閉位置側とは一致し、手前側Ｚ２と開位置側とは一致する。
【００２５】
蓋４が開閉する間、左右のピン１６は、支持体３において左右方向Ｙで同じ側にある凹部１１によって、常に遊びを持って受け入れられる。そのため、蓋４が開閉する間、ピン１６が凹部１１の壁面に干渉しないので、蓋４の円滑な開閉が阻害されることはない。
図３は、蓋４が閉位置にあるときの部品２の平断面図である。図４は、蓋４が開位置にあるときの部品２の平断面図である。なお、図３および図４のそれぞれでは、２点鎖線の円で囲った部分が拡大表示される。また、図３と図４とでは、平断面の位置が微妙に異なるので、凹部１１を含む細部の形状が微妙に異なって図示される。
【００２６】
図３に示すように、蓋４が閉位置にあるとき、左右のピン１６のそれぞれは、凹部１１における奥側Ｚ１の端部である奥側端部１７に位置する。図４に示すように、蓋４が開位置にあるとき、左右のピン１６のそれぞれは、凹部１１における手前側Ｚ２の端部である手前側端部１８に位置する。ただし、蓋４が開位置にあるとき、凹部１１は、手前側端部１８に位置するピン１６より手前側Ｚ２にも存在する。
【００２７】
図５（ａ）は、蓋４が閉位置にあるときの部品２において凹部１１の全体が見える位置での模式的な断面図である。図５（ｂ）は、蓋４が開位置にあるときの部品２において凹部１１の全体が見える位置での模式的な断面図である。つまり、図５（ａ）および図５（ｂ）では、凹部１１の円弧に沿う断面が図示される。
図５（ｃ）は、蓋４が閉位置にあるときの部品２において穴１０および凹部１１の両方が見える位置での模式的な断面図である。図５（ｄ）は、蓋４を開位置からさらに開いたときの部品２において穴１０および凹部１１の両方が見える位置での模式的な断面図である。
【００２８】
図５（ａ）および（ｂ）に示すように、支持体３の左側壁７Ｂおよび右側壁７Ｃのそれぞれにおける凹部１１の深さは、奥側端部１７と手前側端部１８との間では、一定であり、手前側端部１８から手前側Ｚ２へ向かうのに従って徐々に浅くなる。そのため、凹部１１の底面１１Ａは、奥側端部１７と手前側端部１８との間で奥行方向Ｚに沿って平坦に延びる平坦面１９と、平坦面１９から連続して手前側Ｚ２へ傾斜する傾斜面２０とを含む。左側壁７Ｂの凹部１１の傾斜面２０は、手前側Ｚ２へ向けて右方Ｙ２へ傾斜し、右側壁７Ｃの凹部１１の傾斜面２０は、手前側Ｚ２へ向けて左方Ｙ１へ傾斜する。
【００２９】
蓋４が開位置および閉位置ならびにこれらの間にある場合、支持体３の左側壁７Ｂおよび右側壁７Ｃのそれぞれでは、軸１５が穴１０の底面１０Ａ側まで嵌り、ピン１６が凹部１１の底面１１Ａ側まで嵌った状態にある（図５（ｃ）参照）。
【００３０】
使用者が閉位置の蓋４を手前側Ｚ２へ引き開位置まで回動させると、図５（ｂ）において実線で示すように、左側壁７Ｂおよび右側壁７Ｃのそれぞれにおいて、ピン１６の先端部１６Ａが、凹部１１の手前側端部１８に位置して、奥側Ｚ１から傾斜面２０に接触する。これにより、蓋４は、開位置から手前側Ｚ２へこれ以上回動できない。なお、説明の便宜上、ピン１６は、傾斜面２０に接触する場合であっても、傾斜面２０から僅かに離して図示される。
【００３１】
ここで、蓋４に手前側Ｚ２へ無理な力をかけることで、開位置まで開ききった蓋４を開位置から閉位置側とは反対側へ向かうように回動させる。蓋４に手前側Ｚ２へ無理な力をかける状況として、使用者が誤って開位置の蓋４をさらに開こうとしたり、開位置の蓋４に重量物が不意に載りかかったりすることが想定される。蓋４が当該反対側へ向かうように回動すると、図５（ｂ）において点線で示すように、左側壁１２Ｂおよび右側壁１２Ｃのそれぞれにおいて、ピン１６が手前側Ｚ２へ移動し、その際、凹部１１の底面１１Ａの傾斜面２０によって、ピン１６が凹部１１の外に押し出される。つまり、凹部１１は、蓋４が開位置から閉位置側とは反対側の手前側Ｚ２へ向かうのに従って、ピン１６を押し出すように徐々に浅くなる。
【００３２】
ピン１６が凹部１１の外に押し出されるのに応じて、蓋４においてピン１６が設けられて可撓性を有する弾性変形部１４が撓んで、左側壁７Ｂおよび右側壁７Ｃにおいて対応する方から離れる。つまり、左側のピン１６が設けられた弾性変形部１４は、撓んで左側壁７Ｂから右方Ｙ２へ離れ、右側のピン１６が設けられた弾性変形部１４は、撓んで右側壁７Ｃから左方Ｙ１へ離れる。これにより、ピン１６と共に弾性変形部１４に設けられた軸１５が、図５（ｄ）に示すように、穴１０から自然に抜け、蓋４が支持体３から自然に外れる。そのため、開ききった蓋４をさらに開こうとしても、軸１５が折れないので、開閉構造１を備える部品２では、蓋４の破損を防止できる。
【００３３】
なお、ピン１６が傾斜面２０によって凹部１１の外に押し出される際、ピン１６全体が凹部１１の外に押し出される必要はなく、ピン１６の先端部１６Ａは、凹部１１に嵌まった状態にあってもよい。同様に、ピン１６が傾斜面２０によって凹部１１の外に押し出される際、軸１５全体が穴１０から抜ける必要はなく、軸１５の先端部１５Ａは、穴１０に嵌まった状態にあってもよい。軸１５およびピン１６の一部だけが穴１０や凹部１１に嵌まった状態であれば、その後、軸１５およびピン１６が破損することなく、蓋４が支持体３から自然に外れる。
【００３４】
以上では、穴１０および凹部１１が支持体３に設けられ、軸１５およびピン１６が蓋４の弾性変形部１４に設けられる構成の開閉構造１について説明した。穴１０、凹部１１、軸１５およびピン１６のそれぞれを支持体３および弾性変形部１４のどちらかに設けるのかは、任意に選択できる。要は、軸１５が支持体３および弾性変形部１４の一方に設けられ、穴１０が支持体３および弾性変形部１４において軸１５が設けられない他方に設けられればよい。そして、ピン１６は、支持体３および弾性変形部１４の一方に設けられ、凹部１１は、支持体３および弾性変形部１４においてピン１６が設けられない他方に設けられればよい。以下では、他の例として、第１〜第３変形例を挙げる。
【００３５】
図６は、図５に第１変形例を適用した図である。図７は、図５に第２変形例を適用した図である。図８は、図５に第３変形例を適用した図である。図６（ａ）、図７（ａ）および図８（ａ）は、図５（ａ）に相当し、図６（ｂ）、図７（ｂ）および図８（ｂ）は、図５（ｂ）に相当する。図６（ｃ）、図７（ｃ）および図８（ｃ）は、図５（ｃ）に相当し、図６（ｄ）、図７（ｄ）および図８（ｄ）は、図５（ｄ）に相当する。
【００３６】
図６に示す第１変形例の場合、穴１０およびピン１６が支持体３に設けられ、凹部１１および軸１５が弾性変形部１４に設けられる（図６（ｃ）参照）。凹部１１が弾性変形部１４に設けられる場合、凹部１１の底面１１Ａでは、傾斜面２０が平坦面１９よりも奥側Ｚ１に位置する。開位置の蓋４を手前側Ｚ２へさらに開こうとすると、ピン１６によって凹部１１の底面１１Ａの傾斜面２０が押されることで弾性変形部１４が撓み（図６（ｂ）の点線部分参照）、軸１５が、図６（ｄ）に示すように、穴１０から抜ける。
【００３７】
図７に示す第２変形例の場合、軸１５およびピン１６が支持体３に設けられ、穴１０および凹部１１が弾性変形部１４に設けられる（図７（ｃ）参照）。開位置の蓋４を手前側Ｚ２へさらに開こうとすると、ピン１６によって凹部１１の底面１１Ａの傾斜面２０が押されることで弾性変形部１４が撓み（図７（ｂ）の点線部分参照）、軸１５が、図７（ｄ）に示すように、穴１０から抜ける。
【００３８】
図８に示す第３変形例の場合、凹部１１および軸１５が支持体３に設けられ、穴１０およびピン１６が弾性変形部１４に設けられる（図８（ｃ）参照）。開位置の蓋４を手前側Ｚ２へさらに開こうとすると、ピン１６が凹部１１の底面１１Ａの傾斜面２０によって凹部１１の外へ押し出されることで弾性変形部１４が撓み（図８（ｂ）の点線部分参照）、軸１５が、図８（ｄ）に示すように、穴１０から抜ける。
【００３９】
また、蓋４の左側壁１２Ｂおよび右側壁１２Ｃの両方に、図５〜図８のいずれかの構成を共通で適用してもよい。つまり、穴１０、凹部１１、軸１５およびピン１６の構成が、左側壁１２Ｂおよび右側壁１２Ｃの両方において、図５〜図８のいずれかで共通であってもよい。もちろん、左側壁１２Ｂおよび右側壁１２Ｃの一方に、図５〜図８のいずれかの構成を適用し、左側壁１２Ｂおよび右側壁１２Ｃの他方に、図５〜図８において当該一方に適用した構成とは別の構成を適用してもよい。
【００４０】
図９は、第４変形例に係る蓋４の斜視図である。
図９に示すように、蓋４の左側壁１２Ｂおよび右側壁１２Ｃのそれぞれにおいて、弾性変形部１４と弾性変形部１４より上側の部分との境界部に、スリット２１を形成してもよい。スリット２１は、当該境界部を切断してもよいし、当該境界部の表面に形成された溝状であってもよい。スリット２１を形成することにより、弾性変形部１４は一層撓みやすくなる。よって、開ききった蓋４がさらに開こうとした場合、蓋４に形成されたスリット２１によって弾性変形部１４を一層撓ませて、軸１５を穴１０から確実に抜くことができるので、蓋４の破損を確実に防止できる。
【００４１】
第１〜第４変形例を含む以上の実施形態では、軸１５およびピン１６が蓋４の左側壁１２Ｂおよび右側壁１２Ｃの両方に設けられるが、軸１５およびピン１６は、左側壁１２Ｂおよび右側壁１２Ｃのいずれか一方だけに設けられても構わない。
【００４２】
次に、以上で説明した開閉構造１を備える部品２が備えられる装置の一例である洗濯機３０について、図１０を参照しながら説明する。洗濯機３０の説明の際、前述した上下方向Ｘおよび奥行方向Ｚが用いられる。なお、洗濯機３０には、衣類の乾燥機能を有する洗濯乾燥機も含まれる。
【００４３】
洗濯機３０は、筐体３１と、水槽３２と、洗濯槽３３と、モータ３４とを含む。
筐体３１は、ボックス状に形成される。筐体３１は、その下端に設けられた脚部３１Ａが床３５に上から当接することによって、床３５に設置される。
【００４４】
水槽３２は、有底円筒状に形成される。水槽３２は、上端に開口部３２Ａを有する略円筒状の円周壁３２Ｂと、円周壁３２Ｂの中空部分を下方Ｘ２から塞ぐ円板形状の底壁３２Ｃとを有する。開口部３２Ａは、円周壁３２Ｂに連結されたカバー３６によって開閉される。水槽３２内には、水道水、風呂水および洗剤が溶けた液体などの水が溜められる。
【００４５】
洗濯槽３３は、水槽３２よりも一回り小さい有底円筒状に形成される。洗濯槽３３は、上端に出入口３３Ａを有する略円筒状の円周壁３３Ｂと、円周壁３３Ｂの中空部分を下方Ｘ２から塞ぐ円板形状の底壁３３Ｃとを有する。洗濯槽３３は、水槽３２内に同軸状で収容される。水槽３２内に収容された状態の洗濯槽３３は、その軸線として上下方向Ｘに延びる中心軸３７を中心として回転可能である。そのため、洗濯機３０は、洗濯槽３３が縦に配置された縦型洗濯機である。
【００４６】
出入口３３Ａは、開口部３２Ａに下方Ｘ２から連通し、開口部３２Ａおよび出入口３３Ａは、カバー３６によって一括開閉される。洗濯機５０の使用者は、開放された出入口３３Ａを介して、洗濯槽３３内に洗濯物を出し入れすることができる。底壁３３Ｃには、貫通孔３３Ｄが形成され、水槽３２内の水は、貫通孔３３Ｄを介して、水槽３２と洗濯槽３３との間で行き来できる。
【００４７】
円周壁３３Ｂの内周面の上端部には、環状のバランサ３８が取り付けられる。バランサ３８は、回転時における洗濯槽３３の振動を低減させるものであって、バランサ３８の内部の空洞３８Ａには、振動低減に寄与するための液体が収容される。
【００４８】
モータ３４は、筐体３１内において水槽３２の底壁３２Ｃの下方Ｘ２に配置される。モータ３４の出力軸３４Ａは、上方Ｘ１へ延びて、底壁３２Ｃの円中心および洗濯槽３３の底壁３３Ｃの円中心を順に貫通する。出力軸３４Ａは、底壁３２Ｃと底壁３３Ｃとの間で鍔状に張り出したフランジ部３４Ｂを有し、フランジ部３４Ｂが底壁３３Ｃに固定されることで、洗濯槽３３に連結される。モータ３４が駆動されると、洗濯槽３３が回転する。
【００４９】
出力軸３４Ａにおいて底壁３３Ｃよりも上方Ｘ１にはみ出た上端部には、回転翼３９が取り付けられる。回転翼３９は、いわゆるパルセータである。回転翼３９は、円盤状に形成され、その円中心に出力軸３４Ａの上端部が取り付けられる。回転翼３９の上面には、放射状に配置される複数の撹拌羽根３９Ａが設けられ、回転翼３９の下面には、放射状に配置される複数のポンプ羽根３９Ｂが設けられる。モータ３４が駆動されると、回転翼３９が回転し、洗濯槽３３内の洗濯物が撹拌羽根３９Ａによって撹拌される。
【００５０】
洗濯槽３３の円周壁３３Ｂの内周面には、揚水ダクト４０と、前述した部品２とが取り付けられる。揚水ダクト４０と部品２とは、円周壁３３Ｂの内周面において周方向に間隔を隔てて配置される。
【００５１】
揚水ダクト４０は、上下方向Ｘに長手の板状であり、バランサ３８と洗濯槽３３の底壁３３Ｃとの間に架設される。揚水ダクト４０の下端には、取込口４１が形成され、揚水ダクト４０の上端には、吐水口４２が形成される。揚水ダクト４０は、円周壁３３Ｂの内周面との間で上下方向Ｘに延びる揚水路４６を区画する。回転翼３９が回転すると、洗濯槽３３に溜まった水が、回転翼３９のポンプ羽根３９Ｂによって、取込口４１に押し込まれる。取込口４１に押し込まれた水は、揚水路４６を上昇して吐水口４２から洗濯槽３３内の洗濯物に浴びせられる。これにより、少ない水での洗濯が可能になる。
【００５２】
部品２は、洗剤投入ダクトを構成しており、揚水ダクト４０と同様に、バランサ３８と洗濯槽３３の底壁３３Ｃとの間に架設される。部品２において、支持体３の下端には、第１開口４３が形成され、支持体３の表面３Ａにおいて第１開口４３よりも上方Ｘ１かつ開口部６よりも下方Ｘ２には、第２開口４４が形成される（図１も参照）。部品２は、円周壁３３Ｂの内周面と支持体３の裏面３Ｂとの間で上下方向Ｘに延びる洗剤供給路４５を区画する。
【００５３】
洗濯に先立って、使用者が蓋４を手前側Ｚ２へ引いて開位置まで開き（点線の蓋４を参照）、開口部６から洗剤供給路４５内に洗剤を投入する。つまり、開口部６は、洗剤を投入するための投入口である。なお、ここでの洗剤には、一般的な洗剤、柔軟剤および漂白剤の少なくともいずれかが含まれる。洗剤供給路４５内に投入された洗剤は、洗剤供給路４５を落下して第１開口４３を通り、洗濯槽３３に溜まった水に溶ける。また、回転翼３９が回転すると、洗濯槽３３に溜まった洗剤や水が、回転翼３９のポンプ羽根３９Ｂによって第１開口４３に押し込まれ、洗剤供給路４５に残った洗剤を溶かしながら上昇し、第２開口４４から洗濯槽３３内の洗濯物に浴びせられる。これにより、洗剤による洗濯物の洗浄が行われる。
【００５４】
部品２を備える洗濯機３０では、開ききった蓋４をさらに開こうとすると、軸１５が穴１０から自然に抜けるので、蓋４の破損を防止できる。
なお、部品２および揚水ダクト４０は、洗濯槽３３が回転する際に洗濯槽３３内の洗濯物を撹拌するバッフルとして機能してもよい。
【００５５】
以上、本発明を洗濯機３０について実施した場合を説明したが、これに限られるものではない。開口部に回動自在に取り付けられる蓋であれば、本発明の開閉構造１を用いることができる。
また、この発明は、以上に説明した実施形態に限定されるものではなく、請求項記載の範囲内において種々の変更が可能である。
【符号の説明】
【００５６】
１    開閉構造
２    部品
３    支持体
４    蓋
６    開口部
１０  穴
１１  凹部
１４  弾性変形部
１５  軸
１６  ピン
２１  スリット
３０  洗濯機
【図１】
2015139599.tif 000003
【図２】
2015139599.tif 000004
【図３】
2015139599.tif 000005
【図４】
2015139599.tif 000006
【図５】
2015139599.tif 000007
【図６】
2015139599.tif 000008
【図７】
2015139599.tif 000009
【図８】
2015139599.tif 000010
【図９】
2015139599.tif 000011
【図１０】
2015139599.tif 000012